(57)【要約】      （修正有）【課題】フェンスの上縁等に片手で布団を挟持できる布団ばさみを提供する。【解決手段】一対の挟持アーム２が支持軸を介して回転自在に連結される布団ばさみにおいて、連結されない他方先端のアームに一定長を有するハの字型のガイドアーム３を備えた構造を持つ。また、ガイドアームとアームの中間にローラー４を設置することで、非力な高齢者や女性でも片手で布団に布団ばさみを挟持することができる。さらに、布団ばさみの取り外し時にも布団ばさみの上部を上方向や斜め方向に捩じることで梃の力が働き、小さな力で取り外しガイド６に倣って片手でも取り外すことができる。【選択図】図１
2016036696.tif 000002
【特許請求の範囲】
【請求項１】
一対の挟持アームが支持軸を介して回転自在に連結される布団ばさみにおいて、連結されない他方アーム先端に一定長を有するハの字型のガイドアームを備えた構造を持つことを特徴とする布団ばさみ。
【請求項２】
前記ハの字型ガイドアームとアームの中間にローラーを備えたことを特徴とする請求項１の布団ばさみ。
【請求項３】
前記ローラーと挟持アームの中間に布団の挟持部を備えたことを特徴とする請求項２の布団ばさみ。
【請求項４】
挟持部の上部に逆ハの字型のアーム広げガイドを設けたことを特徴とする請求項１または請求項２の布団ばさみ。
【発明の詳細な説明】
【技術分野】
【０００１】  本発明は、布団ばさみに関するものである。
【背景技術】
【０００２】  多くの布団ばさみは両手でアームを開いて使用する構造のものや、意匠登録１２９５１４２や意匠登録１０９４６３４のような構造が開示されている。
【発明が解決しようとする課題】
【０００３】  ベランダにおけるフェンスの上縁等に布団を干す時、両手で布団ばさみのアームを開いて使用する構造の布団ばさみは、一時的に干す布団から両手を放さなければならない。また、布団ばさみの取り外し時にも両手で広げなければならない。この時に強風が吹く等のことがあると布団がベランダから落ちる危険性がある。上記２例の意匠登録製品は片手で短い方のアームを持ち、長いアームを先に布団に掛けて開くという使用方法もあるが、短いアームは長いアームに比ベてアームを開くのに力が要るため、非力な高齢者には使用し難いという課題がある。さらに、長い方のアーム先端には内側に向かって凸部がないために短いアームを引っ張ることで布団ばさみを開こうとすると布団から外れてしまう課題がある。また、取り外し時に両手でアームを広げなければならない課題がある。
【０００４】  本発明は、上記従来の布団ばさみにおける上述の問題を解決しようとしてなされたものである。
【課題を解決するための手段】
【０００５】  本発明は、布団挟持時には２本のアームの先端に一定長を有するハの字型のガイドアームを持つことで、布団ばさみを上方向から押すことによりガイドアームに倣って２本のアームが開く構造のため、布団から片手を放すことなく、もう一方の手で布団を挟持できるようにし、さらに片手で布団ばさみを取り外すことができるようにしたことを特徴とすることで上記課題を解決するものである。
【０００６】  本発明は下記の布団ばさみを提供する。
（１）一対の挟持アームが支持軸を介して回転自在に連結される布団ばさみにおいて、連結されない他方先端のアームに一定長を有するハの字型の延長アームを備えた構造を持つことを特徴とする布団ばさみ（請求項１）。
【０００７】（２）前記ハの字型延長アームの上方にローラーを備えたことを特徴とする請求項１の布団ばさみ（請求項２）。
【０００８】（３）前記ハの字型アームの上方に布団の挟持を備えたことを特徴とする請求項１の布団ばさみ（請求項３）
【０００９】（４）挟持部の上部に逆ハの字型のアーム広げガイドを設けたことを特徴とする請求項１または請求項２の布団ばさみ（請求項４）
【作用】
【００１０】本発明では、片手を布団から放すことなく、もう一方の手で布団ばさみを上方向から押すことによりガイドアームに倣って２本のアームが開く構造のため、布団から片手を放すことなく布団を挟持できる。また、片手で挟持部の上部に逆ハの字型のアーム広げガイドに倣って２本のアームが開く構造のため、布団から片手を放すことなく布団ばさみを取り外すことができる。
【発明を実施するための形態】
【実施例】
【００１１】本発明の一実施形態例を図面に従って説明する。本発明による布団ばさみは、図１の１および図２の１ｂに内側への挟持力を出すバネを内蔵し、２本のアーム２、２や２ｂ、２ｂの先端にハの字型の一定長を有するガイドアーム３や３ｂを備えている。図３および図５のようにベランダのフェンス８の上縁等に布団を掛ける場合、上方向から布団ばさみを下方向に押すことにより、３や３ｂがガイドとなって２、２や２ｂ、２ｂのアームが開く方向に力が働き、図４や図５のようにハの字型のガイドアームに倣ってアーム２や２ｂが開き、さらに布団ばさみを押し込むことで図４や図６のように挟持部がフェンス８の上縁等を通過するとアーム２、２や２ｂ、２ｂを広げる力が解放され、布団挟持部が図４や図６のようにバネの力で布団を挟む。
布団ばさみが図３や図５の状態になるとアームの開き力が大きくなるが、図１の構造の場合はロール４が回転することにより少ない力でロール部を通過でき、その勢いで図１の５の布団挟持部まで布団ばさみが通過すると、布団ばさみの支点は１にあるため布団挟持部５が布団にあたりロールの接点は解放され、布団挟持部が図４のようにバネの力で布団を挟むことになる。挟持部が布団を挟持するので強風が吹いても通常の布団ばさみと同等の挟持力を保つことができる。
さらに、布団ばさみの取り外しには布団ばさみの上部を上方向や上斜め方向に捩じることで梃の力が働き、小さな力で取り外しガイドに倣って片手でも布団ばさみを布団から取り外すことができる。
【発明の効果】
【００１２】ベランダのフェンス等に布団を干す場合、２本のアーム２、２の先端にハの字型の一定長を有するガイドアームを備えることで、片手を布団から放すことなく片手で布団ばさみを布団に挟持することができる。さらに、ガイドアームとアームの中間にロールを設置することで、非力な高齢者や女性でも片手で布団に布団ばさみを挟持することができる。
また、布団ばさみの取り外し時にも布団ばさみの上部を上方向や斜め方向に捩じることで梃の力が働き、小さな力で取り外しガイドに倣って片手でも取り外すことができる。
【図面の簡単な説明】
【００１３】
【図１】本発明によるロールを備えた構造の布団ばさみ本体の斜視図
【図２】本発明による単純構造の布団ばさみ本体の斜視図
【図３】ロールを備えた構造の延長アーム作動時の開く状態を示す図
【図４】ロールを備えた構造の挟持機能作動による使用状態の図
【図５】単純構造の延長アーム作動時の開く状態を示す図
【図６】単純構造の挟持機能作動による使用状態の図
【符号の説明】
【００１４】１  アームの連結部        ２  挟持アーム      ３  ハの字型のガイドアーム
４  ローラー              ５  布団挟持部      ６  取り外しガイド
７  布団                  ８  ベランダのフェンス
【図１】
2016036696.tif 000003
【図２】
2016036696.tif 000004
【図３】
2016036696.tif 000005
【図４】
2016036696.tif 000006
【図５】
2016036696.tif 000007
【図６】
2016036696.tif 000008